(57)【要約】【課題】画像切り出しのマーカーと情報データセルのドットの深度を異ならせて、画像切り出しマーカーを即時に峻別認識できるようにする。【解決手段】単一色のセルがマトリクス状に配列された情報データセルと、それらの情報データセルの位置を特定するための画像切り出しのためのマーカーとを構成要素とする二次元コードにおいて、単一色の画像切り出しのマーカーと情報データセルの単一色のドットの深度を異ならせて表現して、情報データセルに階調を持たせたグレースケールデータとしたことで、画像切り出しマーカーを即時に峻別認識できるようにする。【選択図】図４
2017182108.tif 000002
【特許請求の範囲】
【請求項１】
単一色のセルがマトリクス状に配列された情報データセルと、それらの情報データセルの位置を特定するための画像切り出しのためのマーカーとを構成要素とする二次元コードにおいて、画像切り出しのマーカーと情報データセルの単一色のドットの深度を異ならせて表現して、情報データセルに階調を持たせたグレースケールとて表現したことを特徴とする二次元コード読取方法およびその二次元コード記録媒体。
【請求項２】
モノクローム２階調のセルがマトリクス状に配列された情報データセルと、それらの情報データセルの位置を特定するための画像切り出しのためのマーカーとを構成要素として、情報データセルの位置を特定するための画像切り出しのためのマーカーが二次元コードの外周部に設置され、マトリクス状に配列された情報データセルを内部に設置された二次元コードにおいて、外周部に設置された画像切り出しマーカーのドット深度を１の黒色で表現して、内部に設置されたマトリクス状に配列された情報データセルのドット深度８のモノクローム２階調のグレースケールで表現したことを特徴とする請求項１の二次元コード読取方法およびその二次元コード記録媒体。
【請求項３】
モノクローム２階調のセルがマトリクス状に配列された情報データセルと、それらの情報データセルの位置を特定するための画像切り出しのためのマーカーとを構成要素として、情報データセルの位置を特定するための画像切り出しのためのマーカーが二次元コードの内部に設置され、マトリクス状に配列された情報データセルを外周部に設置された二次元コードにおいて、内部に設置された画像切り出しマーカーのドット深度を１の黒色で表現として、外周部に設置されたマトリクス状に配列された情報データセルのドット深度８をモノクローム２階調のグレースケールで表現としたことを特徴とする請求項１の二次元コード読取方法およびその二次元コード記録媒体
【請求項４】
単一色のセルがマトリクス状に配列された情報データセルと、それらの情報データセルの位置を特定するための画像切り出しのためのマーカーとを構成要素として、情報データセルの位置を特定するための画像切り出しのためのマーカーが二次元コードの内部に設置され、マトリクス状に配列された情報データセルを外周部に設置された二次元コードにおいて、内部に設置された画像切り出しマーカーのドット深度を１の黒色で表現として、外周部に設置されたマトリクス状に配列された情報データセルのドット深度を３２としたことを特徴とする請求項１の二次元コード読取方法およびその二次元コード記録媒体。
【発明の詳細な説明】
【技術分野】
【０００１】
本発明は、二次元コードの切り出しを容易にして、認識速度を速めた二次元コードの読取方法及びその二次元コード記録媒体に関するものである。
【背景技術】
【０００２】
従来の二次元コードの読取手順の場合は、エリアセンサでキャプチャーした画像の中から、複数の特定パターン（「切り出しマーカー」）を画像認識的に探しだし、この「切り出しマーカー」の大きさとそれらの間の位置関係から、二次元コードの存在範囲を推定する。すなわち、該当する二次元バーコードのパターンの範囲と寸法を推測して、その範囲をセグメント化する。そして、各セグメントの読み取り内容から、そこに確かに二次元コードが存在することを確認するという手順が取られる。
【０００３】
従来のモノクローム２階調（白黒）で表現された二次元コードでは、データ領域（情報データセル）と切り出しマーカー部が全く同じドット深度で表現されており、情報データセルへの記録容量が大きくなると二次元コード自体の構成するセルの密度が高まり、切り出しマーカー部と情報セル部が近接して、切り出しマーカーを認識するのに時間が掛かるという課題が生じている。
【０００４】
例えば、下記特許文献１には、「白黒の限界」として、従来から電子データを情報コードに変換する方法、およびその情報コードを用いてコード表示媒体上へ記録しそれらを復号する方法はさまざまな方法が提唱されている。例えば 、モノクローム２階調（黒と白）のパターンで情報を表現する１次元バーコードや２次元バーコードがいくつか提案されている。しかし、白と黒のパターンで情報を表現するバーコードは表示面積当たりのデータ記録密度が低いために、大量のデータを持つ文書、画像或いは音声等の電子データを取扱うことができないと記されている。
【０００５】
たしかに、１９８０年代に米国で開発された二次元コードのアルゴリズムを踏襲して開発された種々の二次元コードは、二次元コードの設計思想である記号構造も引き継いでおり、圧縮技術、多言語対応及びセキュリティー概念が米国での開発当時の技術であり、画像及び音声を大量に記録する構造として設計されていない。
【０００６】
しかし、近年の技術革新によりエリアセンサの高精密化及び画像を解析するCPUの高速化により、下記特許参考文献２のようの文書、音声及び画像も記録可能な二次元コードも開発されている。
【０００７】
また、下記特許文献１および特許文献３のように、電子データを２次元カラーコードに高密度で表現するためのセルの多色化と縮小を図る試みもなされている。
【０００８】
しかし、２次元カラーコードは、使用する色の数が増えた分、退色、印刷ムラ、照明光、汚れなどの変色原因による色の変化によるセルの色の誤判定を起こし易いため、復号精度は、モノクローム２階調（白黒）の二次元コードに比べて低い。
【０００９】
現在まで多種類の二次元コードが開発されてきたが、認識速度とセキュリティーの問題が依然として課題として残っている。
【先行技術文献】
【特許文献】
【００１０】
【特許文献１】２０１１−１８６６１３号公報
【特許文献２】特開２０１１−７０４７７号公報
【特許文献３】特許第３９９６５２０号
【発明の概要】
【発明が解決しようとする課題】
【００１１】
解決しようとする問題点は、従来の二次元バーコードの切り出し方法は、切り出しパターンが迅速に認知できないと、二次元コードの画像の切り出しが出来ないということが技術的に大きな問題点になっている。
【００１２】
その結果として、切り出しマーカーが情報データセルと区別できないように隣接している場合は、エリアセンサでキャプチャーした背景画像の中から特定して画像を切り出すことに時間が掛かる課題が生じている。
【課題を解決するための手段】
【００１３】
本発明は、画像切り出しのマーカーと情報データセルのドットの深度を異ならせて表現されており、切り出しマーカー部のドット深度を１の黒色として表現して、データ領域（情報データセル）をドット深度８のモノクローム２階調グレースケールデータとして表現することで、画像切り出しマーカーを即時に峻別認識できるように、記号認識時間を大幅に短縮できる構造としている。
【発明の効果】
【００１４】
以上の説明のように、この発明によれば、二次元コード画像切り出しマーカーを即時に峻別認識できるように、単一色の画像切り出しのマーカーと情報データセルのドットの深度を異ならせて表現されており、情報データセルのドット深度を変えて階調を持たせたモノクローム２階調グレースケールデータとして表現されてことで、画像切り出しのマーカーが画像上で即時に峻別認識できるようになり、二次元コードの認識が迅速化されたことで、効率的に運用が可能となる二次元コードを提供できる。
【図面の簡単な説明】
【００１５】
【図１】本発明にかかる二次元コードのデザイン実施例の一形態
【図２】二次元コードのデザインの一形態
【図３】内部に切り出しマーカーが設置された二次元コードのデザインの一形態
【図４】本発明にかかる二次元コードの読取を示すフロー概略図である。
【発明を実施するための形態】
【００１６】
請求項に係わる発明について、その実施の形態を図面１と図４を参照しながら説明する。
【実施例】
【００１７】
単一色のセルがマトリクス状に配列された情報データセル５と、それらの情報データセルの位置を特定するための画像切り出しのためのマーカー１、２、３、４とを構成要素とする二次元コードであり、画像切り出しのマーカー１、２、３、４はドット深度１で表現されており、情報データセル５はドット深度８のモノクローム２階調のグレースケールで表現されている二次元コード記録媒体である。
【００１８】
その読取は、エリアセンサで当該二次元コードの生画像を撮像する。
【００１９】
エリアセンサを内蔵する読取機には、あらかじめドット深度１黒色の画像を最初に認識するようにプログラムしておくことで、二次元コード画像を素早く認識して、歪み補正技術にて二次元コード画像の角度補正を行う。
【００２０】
切り出された画像は、次に情報データセル領域（グレースケールエリア）をスキャニングする。
【００２１】
歪み補正技術を活用して、切り出された画像の角度補正を行う。
【００２２】
スキャニングされて取り出されたデータ部は、エラー補正（ECC）処理及び圧縮解凍処理を行う。
【００２３】
上記により取り出された情報は、関連付けられる情報手段（音声、テキスト等）の情報で出力される。
【産業上の利用可能性】
【００２４】
以上の発明によれば、切り出しマーカーと情報データセル領域のドット深度を異なわせることによって、画像切り出時間が短縮できることによって、図２および図３の形態の二次元コードでも同様の操作が可能となり、二次元コードの情報発信に活用して適用できる。
【符号の説明】
【００２５】
１       切り出しマーカー
２       切り出しマーカー
３       切り出しマーカー
４       切り出しマーカー
５       情報データセル
６       切り出しマーカー
７       切り出しマーカー
８       切り出しマーカー
９       情報データセル
１０       切り出しマーカー
１１       情報データセル
【図１】
2017182108.tif 000003
【図２】
2017182108.tif 000004
【図３】
2017182108.tif 000005
【図４】
2017182108.tif 000006